(57)【要約】靴、とりわけ運動靴のようなキャンバスおよび／または皮革を含んでなる靴を処理するための組成物、ならびに、それを使用して靴の洗浄前および／または洗浄中および／または洗浄後に靴を処理するための方法および製品を開示する。この組成物は、靴が汚れる前に靴を前処理するために使用する。【特許請求の範囲】
【請求項１】
高分子汚れ放出剤および展着剤を含んでなる、靴用の前処理組成物。
【請求項２】
高分子汚れ放出剤が多糖類である、請求項１に記載の前処理組成物。
【請求項３】
多糖類がカルボキシメチルセルロースである、請求項２に記載の前処理組成物。
【請求項４】
多糖類の分子量が約１，０００，０００未満である、請求項２に記載の前処理組成物。
【請求項５】
多糖類の分子量が約５００，０００未満である、請求項４に記載の前処理組成物。
【請求項６】
多糖類の分子量が約２５０，０００未満である、請求項５に記載の前処理組成物。
【請求項７】
展着剤が非イオン性界面活性剤である、請求項１に記載の前処理組成物。
【請求項８】
展着剤が非イオン性界面活性剤である、請求項２に記載の前処理組成物。
【請求項９】
抗微生物剤を更に含む、請求項１に記載の前処理組成物。
【請求項１０】
乾燥剤を更に含む、請求項１に記載の前処理組成物。
【請求項１１】
乾燥剤がエタノールである、請求項１０に記載の前処理組成物。
【請求項１２】
抗微生物剤が水不溶性であり、該水不溶性抗微生物剤が、水系へのエタノールの添加により可溶性になる、請求項９に記載の前処理組成物。
【請求項１３】
靴を処理する方法であって、
（ａ）表面を有する１以上の靴を用意する；および
（ｂ）該１以上の靴の表面の少なくとも一部分上に、請求項１に記載の前処理組成物を付着させる；
工程を含んでなる上記方法。
【請求項１４】
前処理組成物をスプレーにより適用する、請求項１３に記載の方法。
【請求項１５】
前処理組成物を靴上に塗付またはローラ処理することにより適用する、請求項１３に記載の方法。
【請求項１６】
前処理組成物を、洗濯機におけるすすぎサイクルで適用する、請求項１３に記載の方法。
【請求項１７】
１以上の靴を処理する方法であって、
（ａ）表面を有する１以上の靴を用意する；
（ｂ）該１以上の靴の表面の少なくとも一部分上に、第一の保護物質を付着させる：付着後の靴は着用可能である；および
（ｃ）該靴を着用した後、第一の保護物質および靴上に付着した汚れまたは土埃を少なくとも部分的に除去するために、靴表面上の上記の少なくとも一部分に、除去物質を適用する；
工程を含んでなる上記方法。
【請求項１８】
除去物質を適用する工程（ｃ）が、１以上の靴を洗浄する工程中に起こる、請求項１７に記載の方法。
【請求項１９】
工程（ｂ）で適用する第一の保護物質が高分子汚れ放出剤を含み、工程（ｃ）で適用する除去物質が１以上の酵素を含む、請求項１７に記載の方法。
【請求項２０】
高分子汚れ放出剤が多糖類である、請求項１９に記載の方法。
【請求項２１】
多糖類がカルボキシメチルセルロースである、請求項２０に記載の方法。
【請求項２２】
１以上の酵素がセルラーゼを含む、請求項２１に記載の方法。
【請求項２３】
１以上の酵素が洗剤またはコンディショナー中に供給される、請求項１９に記載の方法。
【請求項２４】
工程（ｂ）で適用する第一の保護物質が１以上の炭水化物バイオポリマーを含み、工程（ｃ）で適用する除去物質が１以上のカルボヒドラーゼを含む、請求項１７に記載の方法。
【請求項２５】
工程（ｂ）で適用する第一の保護物質が１以上のポリペプチドバイオポリマーを含み、工程（ｃ）で適用する除去物質が１以上のプロテアーゼを含む、請求項１７に記載の方法。
【請求項２６】
工程（ｂ）で適用する第一の保護物質が１以上のポリエステルを含み、工程（ｃ）で適用する除去物質が、１以上のリパーゼ、エステラーゼ、および／またはポリエステラーゼを含む、請求項１７に記載の方法。
【発明の詳細な説明】
【技術分野】
【０００１】
本発明は、靴、とりわけ運動靴のような、皮革を含むこともあるキャンバスまたは他の布地を含んでなる靴を処理するための組成物に関し、更に、そのような組成物を使用する、靴の洗浄前および／若しくは洗浄中および／または洗浄後に靴を処理するための方法および製造物品に関する。より詳細には、本発明は、清浄および／若しくはコンディショニングおよび／若しくは消毒並びに／または脱臭のような所望の利益を靴に付与するために、靴の洗浄前および／または洗浄中および／または洗浄後に１以上の靴に適用する組成物に関する。
【背景技術】
【０００２】
汚れたおよび／または染みの付いた靴、とりわけ運動靴は、靴の出現以来問題になっている。汚れたおよび／または染みの付いた靴の清浄における伝統的な試みには、汚れた靴を従来の庭用ホースによって洗面器および／またはシンク内で手で洗浄すること、靴に固着した粘土、泥、および他の土埃の払い落としを試みるため、靴を合わせて叩くこと、或いは洗剤の添加によりまたは添加によらずに従来の洗濯機を使用することが包含されてきている。しかしながら、これら従来の方法では、消費者は満足のいく清浄化に遭遇していない。更に、消費者は、このような「過酷な」従来方法を使用した結果、とりわけ従来の洗濯機で靴を洗浄する時に、靴の損傷を目の当たりにしてきている。このような問題の例には、靴の清浄が不十分で満足なものではないこと、並びに／または、水および／または洗剤が皮革からなめし剤および／または加脂剤を除去する傾向にあり、それが安定性および／若しくは柔らかさおよび／または柔軟性および／または可撓性を喪失させることになることが、これらだけに限るものではないが挙げられる。
【０００３】
消費者ニーズが著しく且つほとんど満たされていないことが、靴、とりわけ、キャンバス、ナイロン、メッシュ、合成皮革および／または天然皮革表面を含んでなる靴、特に運動靴のような皮革を含んでなる靴における清浄に代表される。運動靴は、運動用途だけでなく、屋内および屋外の両方で日常用途にも着用される。これらの靴を屋外で運動に使用することは、これらの靴の著しい汚れを招き得る。例えば、スポーツまたは日常用途のいずれかで屋外で着用する時には、土埃、泥、および粘土の土壌がこれらを汚すことがある。同様に、草の染みおよび汚れが、同様の状況下でこれらの靴を汚すことがある。靴の清浄に関する特有の問題とは、多くの「礼装用」または正装用の靴とは異なり、運動靴の外側部分が皮革または布地或いはこの両者の組み合わせで構成されることがあるということである。運動靴が多くの場合ひどく汚れているが、ほとんどの正装用の靴は、光沢のある滑らかな外側表面を有しており、一般に、それほどひどく汚れることはない。従って正装用の靴の場合は、湿った布で拭くことで、ほとんどの状況下で十分きれいになることが多い。光沢のある滑らかな外側仕上げを有するほとんどの正装用の靴とは異なり、運動靴はよりひどく汚れ、その汚れは、運動靴用の多種類の外被覆のために除去困難なことが多い。具体的には、これらの靴の布地部分から汚れを簡単に拭き取ることが困難である。同様に、これらの靴の底部分上に見られる、粗いまたはでこぼこした、プラスチック、合成の表面、またはゴムの表面から汚れを取り除くことも困難なことが多い。従って、運動靴を清浄するより良い方法が必要とされており、それは極めて望ましい。
【０００４】
更に、理論に束縛されることを望むわけではないが、水および／または洗剤を含有する水の中における靴の従来の洗浄は、靴、とりわけ皮革を含んでなる靴に悪影響を及ぼすと考えられており、これは、他にも理由はあるが、皮革から加脂剤および／または油並びに／またはなめし剤、例えばクロムが喪失するからである。
【０００５】
自動衣類洗濯機における靴の従来の洗浄では、靴が洗濯機内の攪拌部および／若しくは洗濯機の壁面並びに／または洗浄されている他の物品、例えば他の靴に接触する結果、靴が損傷する。理論に束縛されるものではないが、そのような接触が、靴上の塗装を損傷させ、並びに靴の他の表面および／または構成要素を損傷させ得ると考えられている。
【０００６】
同様に、キャンバスまたは他の布製の靴では、粘土または泥土を除去することが特に困難であり、同じ汚れを運動靴の皮革表面上から除去するよりもしばしば困難であると見出されている。従来の洗浄処理は、靴がキャンバスまたは他の布地だけから構成される時には、キャンバスまたは他の布地を含んでなる靴上の粘土／泥／土埃に、時々はかなり適切に作用し得ることがわかっている。
【０００７】
しかしながら、ある種の靴、特に運動靴は、キャンバス／布および皮革の両方を含んでいることが多い。そのため、従来、キャンバスを清浄にすることと、皮革を保護する必要性とが、受け入れ難い相反する交換条件となっていた。更に、消費者の運動靴が皮革だけ、或いはキャンバスだけで構成される場合でも、消費者がキャンバスおよび皮革を含んでなる靴製品を別個に購入するのは不便である。
【０００８】
それ故に、キャンバス／布および皮革の靴を前処理するための組成物、ならびに、そのような組成物を使用する、靴の皮革部分を損傷せずに靴のキャンバス部分に所望の清浄結果を生む、キャンバス／布および皮革を処理するための方法が必要とされている。
【０００９】
他の方法も提案されてきたが、十分にうまく機能して消費者のニーズを満たすと思われるものはない。例えば、日本国特許公報（特許文献１参照）は、デンプンおよびカルボキシメチルセルロース（ＣＭＣ）の両方を含んでなるキャンバス靴用のスプレー前処理が利益を与えることを教示している。しかし、それには多数の問題がある。まず、この公開特許は、ＣＭＣを靴に適用するときに、とりわけ皮革のような非キャンバス表面、特に暗色の皮革上で起こることのある極めて望ましくない斑痕形成を回避する方法については教示していない。更に、カルボキシメチルセルロースまたはデンプンのいずれについても、最適性能に必要な分子量または置換度に関して何も教示されていない。同様に、消毒、高速乾燥、および臭気除去のような、他の極めて望ましい特性の組み込みが提供されていない。
【００１０】
更に、消費者は、スプレー製品の使用を避け、靴の処理を洗浄過程の必須部分にすることを望むことがある。前述の公開特許は、防汚利益が得られるように、靴を前処理する方法を洗浄過程の必須部分として用意することを考慮に入れていない。
【００１１】
また更に、この公開特許は、処理組成物および清浄組成物が相互作用して、いずれか単独の性能からは予想されない利益を生む方法および組成物を教示してはいない。
【発明の要旨】
【００１２】
本願は、２０００年１０月２０日に出願された米国特許出願第０９／６９３，２２４号の一部継続出願である。
【００１３】
本発明は、靴、とりわけ、キャンバス、ナイロン、メッシュ、合成皮革表面および／または天然皮革表面を含んでなる靴、特に運動靴のような皮革を含んでなる靴を処理するための組成物および方法に関する。より詳細には、本発明は、方法、とりわけ、靴が汚れる前に靴を前処理する工程を含んでなる方法、および本発明の方法において有用な組成物、ならびに組成物を使用して靴を処理する製造物品に関する。
【００１４】
特定の理論に束縛されるものではないが、本発明の一態様では、靴を処理または前処理するための組成物が、被膜のような保護付着物または障壁を靴の少なくとも一部分上に形成すると考えられている物質を含むため、その後の清浄において、靴からの汚れの除去が前処理をしない場合よりも大幅に良好になる。
【００１５】
本発明のこの態様または他の態様では、前処理組成物を、任意であるが好ましくは、皮革部分を含んでなる靴を清浄するのに特に好適で好ましい、優先する清浄および／またはコンディショニング組成物と併せて使用してもよい。清浄組成物および／またはコンディショニング組成物は、個別に、または併せて使用することが可能である。併せて使用する場合、それらは清浄およびコンディショニングシステムの形態を取ることが可能である。他の実施形態では、清浄およびコンディショニング組成物を組み合わせて、単一の「二者一体型（two-in-one）」清浄・コンディショニング組成物中に組み合わせることが可能である。
【００１６】
一実施形態では、前処理組成物が、高分子汚れ放出剤および展着剤を含んでなる。この実施形態の非限定的な一変形形態では、靴を処理または前処理するための組成物が多糖類および展着剤を含む。展着剤は、組成物が滴玉を形成して靴の表面上で広がらなくなる傾向を低減するのに有用である。またそれは、皮革またはプラスチックのような多孔性でない表面を有する靴、特に暗色の靴の上で起こる、斑痕形成の問題を軽減するにも有用である。多糖類は、好適な分子量（ＭＷ）を有することも可能である。ある実施形態では、多糖類が、約１，０００，０００未満、または約５００，０００未満、或いは約２５０，０００未満の分子量を有してもよい。この実施形態の一変形形態では、多糖類が、カルボキシメチルセルロース（ＣＭＣ）を含む。必ずしも、本明細書に記載の組成物中でＣＭＣと共にデンプンを使用する必要はない。組成物には、置換度が約０．６〜約１．２の範囲のＣＭＣを含んでもよい。展着剤は、好ましくは界面活性剤であり、陰イオン性または非イオン性界面活性剤にすることが可能である。
【００１７】
他の実施形態では、靴を処理するための組成物は、やはり特定の理論に束縛されるものではないが、靴の少なくとも一部分上に保護付着物または障壁を形成すると考えられている第一の付着保護物質（または「前処理組成物」）を含むことができ、この組成物は、靴から第一の物質および第一の保護物質上に付着した汚れも除去することが可能な第二の除去物質と関連して使用される。前処理組成物は、靴の製造業者、靴の小売業者、或いは靴の購入者または所有者が適用することが可能である。前処理組成物は、靴から汚れをより容易に除去することが可能なように、靴の所有者が靴を清浄した後に適用し得る。前述した第一の実施形態の場合のように、第一の付着保護物質は、靴の表面上に被膜を形成する可能性がある。この実施形態の好ましい変形形態では、第二の除去物質は、靴から第一の物質を除去するのに特に好適なように選択される。好適な除去物質には、これだけに限るものではないが、酵素が挙げられる。除去物質は、別個の組成物にすることができ、或いは清浄組成物および／またはコンディショニング組成物またはその両方が除去物質、例えば酵素を含有してもよく、靴を着用する前に前処理組成物を使用する。その後、この酵素を含有する清浄組成物および／またはコンディショニング組成物で処理すると、清浄および／またはコンディショニング組成物の後で使用した時に、好ましくは、前処理工程なしの清浄および／またはコンディショニング単独の場合よりも大きな利益が得られる。保護組成物と除去物質とのこのような組み合わせには、多数の例が考えられる。ある非限定的な一連の実施形態では、保護組成物が炭水化物バイオポリマーで、除去物質がカルボヒドラーゼである。別の一連の実施形態では、保護組成物がポリペプチドバイオポリマーで、除去物質がプロテアーゼである。他の一連の実施形態では、保護組成物がポリエステルポリマーで、除去物質が、リパーゼ、エステラーゼ、および／またはポリエステラーゼである。
【００１８】
本明細書に記載の組成物は、内部に追加的な有益剤（例えば、抗微生物剤、賦香剤、および前処理でかなりの割合の水を含有する時に速く乾燥させる乾燥剤）を有することができ、或いはこのような追加的な有益剤を別個の組成物中で用意してもよい。非限定的な一例では、前処理組成物が、靴の内側、靴の外側、またはその両方に適用することが可能なスプレーの形態であり、急速乾燥する消毒を用意するエタノールを含む。
【００１９】
特に指定のない限り、本明細書ではすべてのパーセンテージおよび割合は重量を基準としており、本明細書に記載のすべての参考文献を参照によって本明細書に組み込む。
【発明の具体的な説明】
【００２０】
本明細書は、本発明を特に指摘し明確に請求する請求項をもって結論とするが、本発明は、添付の図面に即した次の説明から一層理解されるものと考えられている。
【００２１】
（定義）
本明細書で使用する時、用語「着用前処理」および「前処理」は同義で使用され、汚れる前の１以上の靴への、本発明の１以上の前処理組成物の適用をも包含することを意図している。靴が汚れた後で、続けて１以上の靴を洗浄してもよい。本明細書に記載の組成物および方法は、処理サイクル、着用サイクル（然るに汚れサイクル）、ならびに靴の洗浄サイクルで使用してもよいことが理解される。例えば、初期の前処理の後に、靴を着用する期間、次に靴の洗浄、と続けることが可能である。その後、靴は再び「前処理」可能である。従って、前処理組成物を、時系列的に、１以上の靴が汚れてから続けてもよく、それでもなお、前処理組成物として適用するものと見做される。
【００２２】
本発明の前処理組成物は、「有効量」の有益剤を含む。有益剤の「有効量」とは、靴のような物品またはその一部分、好ましくはそのキャンバス、ナイロン、メッシュ、および合成皮革および／または天然皮革の表面に、有益剤に関連する利益を付与することが可能な量である。
【００２３】
本明細書で使用する「洗浄で」とは、１以上の靴の洗浄中に、その１以上の靴への１以上の組成物の適用を包含することを意図している。
【００２４】
本明細書で使用する「後処理」とは、１以上の靴の洗浄後に、その１以上の靴への１以上の組成物の適用を包含することを意図している。
【００２５】
本明細書で使用する「有益剤」とは、靴のような物品に消費者が認識可能なおよび／または評価することが可能な利益を付与し得る薬剤を包含することを意図している。そのような有益剤の例には、清浄剤、コンディショニング剤、消毒剤、香料、光沢剤、放出剤、とりわけ汚れ放出剤、酵素、耐水処理剤、賦香剤、および類似のもの、ならびにこれらの混合物が、これらだけに限るものではないが挙げられる。
【００２６】
本明細書で使用する「１以上の靴」とは、靴および、好ましくはそのキャンバス、ナイロン、メッシュ、並びに合成皮革および／または天然皮革の任意の表面および全表面ならびに一部分を包含することを意図している。本明細書に記載の組成物および方法で処理可能な靴の種類には、運動靴（例えば、ランニングシューズ、バスケットボールシューズ、クロストレーニングシューズ、テニスシューズ、ボーリングシューズ、および他の種類の運動靴）、ならびに、同様の材料で作製され、同様の構造を有する靴、例えば病院職員が着用する靴などがこれらだけに限るものではないが、挙げられる。
【００２７】
本明細書で使用する時、「洗浄」とは、靴を水性媒質に接触させる手段を意味する。このような洗浄の例には、洗い桶或いはシンクまたは鍋のような他の容器内に靴を部分的または完全に水没させること、庭用ホースまたは蛇口のような他の水の送達手段から靴に水をスプレーして雨滴を靴に接触させること、川、湖、または池のような水域に靴を部分的または完全に水没させること、従来の洗濯機内に入っている水性洗浄溶液内に、好ましくは洗浄サイクル中におよび任意ですすぎサイクル中に靴を水没させることがこれらだけに限るものではないが、挙げられる。
【００２８】
（前処理組成物）
本発明の前処理組成物は、有効量の１以上の汚れ放出剤と、任意であるが好ましくは１以上の他の有益剤とを含んでおり、好ましくは有益剤が、１以上の展着剤または界面活性剤、賦香剤、香料、消毒剤（例えば抗微生物剤）、および抗真菌剤を含んでなる群から選択される。
【００２９】
前処理組成物は、予防および／または快適性の理由で「新しい」靴（すなわち、新しいおよび／またはほとんど着用していないまたはほとんど汚れていない靴）への適用のために配合することが可能である。例えば、消費者は、そのような「新しい」靴を、靴の着用前に、コンディショニング剤および／または汚れ放出剤および／または賦香剤、或いは他の有益剤を含んでなる前処理組成物で処理することを望むことがある。有益剤および他の任意成分を含有する組成物は、有効であるが、靴上で乾燥した時に識別できない濃度であることが好ましい。
【００３０】
汚れ放出剤および他の１以上の有益剤が、本発明の前処理組成物中に、前処理組成物の約０．０１重量％〜約９０重量％、より好ましくは約０．１重量％〜約８０重量％、更に好ましくは前処理組成物の約０．５重量％〜約７０重量％の範囲の量で存在することが望ましい。とは言え、本発明の前処理組成物の実施形態により、有益剤が前処理組成物中に、前処理組成物の約９０重量％〜約１００重量％で存在してもよい。更に、有益剤が、洗浄、すすぎ、浸漬、および／またはスプレー処理溶液中に、約２ｐｐｍ〜約１００，０００ｐｐｍ、より好ましくは約１０ｐｐｍ〜約２５，０００ｐｐｍの量で存在することが望ましい。
【００３１】
前処理組成物並びに清浄／コンディショニング組成物を包含する、これだけに限るものではないが、本明細書の組成物は、好ましくはある種の好ましい特性を有する。好ましくは、組成物は、ポリリン酸塩、とりわけ、ピロリン酸ナトリウム、トリポリリン酸ナトリウム、およびこれらの混合物から成る群にあるリン酸塩を本質的に含まない。好ましくは、組成物が、ポリリン酸塩を約５重量％未満、より好ましくは約４重量％未満、更に好ましくは約３重量％未満、いっそう好ましくは約２重量％未満、更にいっそう好ましくは約１重量％未満、最も好ましくは約０重量％含む。
【００３２】
好ましくは、組成物が天然皮革を含んでなる表面を有する靴を処理するのに使用される時には、組成物は、靴に利益を与える以上に多くの損傷を与える漂白剤系、とりわけある種の漂白剤および／またはある濃度の漂白剤、特に塩素系漂白剤を本質的に含まない。組成物はまた、漂白剤スカベンジャーを含んでもよい。好ましくは、本発明の組成物はまた、靴に汚れまたは染みを付ける物質も本質的に含まない。
【００３３】
更に、組成物を天然皮革を含んでなる表面を有する靴を処理するために使用する時には、組成物が、そのような表面に有害な、組成物内に含まれる他の物質の濃度を低減していることが好ましい。例えば、汚れと水との両方の中に通常存在するＣａおよびＭｇの二価イオンを取り除くために、カルシウム／マグネシウム（Ｃａ／Ｍｇ）除去剤（その多くが「ビルダー」と呼ばれる）が、水性の清浄システム中で使用されることが多い。Ｃａ／Ｍｇ除去剤によりこれらの２つの二価イオンを除去すると、多くの場合、清浄および／または洗剤システムの性能を大きく向上することが可能である。これは、靴、とりわけ運動靴が直面することの多い、粘土、土埃、泥のような粒子状の汚れ、および更に草の汚れを除去する場合に特に真である。従って、このような靴が直面することの多い、粘土、土埃、泥のような粒子状の汚れ、および草の汚れの除去には、Ｃａ／Ｍｇ除去剤の存在がとりわけ有用である。
【００３４】
Ｃａ／Ｍｇ二価イオンの除去に有用な、同一のＣａ／Ｍｇ除去剤には、遷移金属イオンとの結合または除去にも非常に有効なものがある。文献では、遷移金属イオンと結合する特殊な薬剤をキレート剤と呼び、それらが遷移金属イオンに結合する過程をキレート化と呼ぶことが多い。低濃度の遷移金属イオンの除去は、普通は害でなく、それどころか観察される清浄化性能を実は改善することもあるので、キレート剤が存在することは、普通、従来の洗剤では重大な問題ではない。
【００３５】
しかしながら、皮革を含んでなる靴では、遷移金属イオンキレート剤を含有する処理組成物を使用すると、靴の水洗浄のための清浄化系の配合に、予期されない、且つこれまでは認識されなかった問題を引き起こす。靴の皮革から遷移金属であるクロムを除去することにより、靴の皮革部分が、遷移金属イオンキレート剤による悪影響を受けることがある。クロムは、靴用の皮革に使用される主要ななめし物質であり、皮革に大幅な追加的強度および温度耐性を付与する。従って、組成物により、クロムを除去することは極めて望ましくない。そのため、大幅な濃度のクロムを除去せずに、皮革を含んでなる靴の洗浄に有効な濃度のＣａ／Ｍｇ除去剤を送達する組成物および／または方法を考案することが極めて望ましい。
【００３６】
それ故に、好ましくは、クロムとの非常に高い結合能を有するＣａ／Ｍｇ除去剤が使用されず、しかし本明細書に記載のように使用される時にはＣａおよびＭｇ二価イオンとの結合になお有効であるように、組成物中で使用されるＣａ／Ｍｇ除去剤が選択されることが望ましい。好ましくは、処理組成物が、１２より大きい、より好ましくは９より大きい、更に好ましくは６より大きいｌｏｇＫ結合定数でＣｒ３＋に結合可能なクロム結合剤を、処理組成物の約３０重量％以下、より好ましくは約２０重量％以下、更に好ましくは約１０重量％以下を含んでなるように配合される。
【００３７】
１以上の処理組成物中の有益剤は、好ましくは、洗浄過程の結果として靴に与える損傷を最小限に抑え、および靴に望ましくない特性が用意されるのを避けるように選択される。従って、これら１以上の処理組成物（例えば、前処理、清浄および／またはコンディショニング組成物）中の有益剤は、好ましくは、処理組成物で処理された靴の内側表面への水吸収の、処理組成物で処理する前の靴の内側表面への水吸収に対する比が、約０．１より大きく、好ましくは約０．３より大きくなるように選択される。有益剤が、靴を、特に靴の内側を、滑りやすいくしないことが望ましい。従って、有益剤はまた、好ましくは、処理組成物により処理された靴の表面と第二の表面との間の摩擦の、処理組成物で処理する前の靴の表面と第二の表面との間の摩擦に対する比が、約０．７より大きく、好ましくは約０．８より大きく、より好ましくは約０．９より大きくなるように選択される。
【００３８】
（好ましい前処理系有益剤）
本発明の前処理組成物は、汚れ放出剤および展着剤（または界面活性剤）のような、有効量の１以上の有益剤を含む。
【００３９】
ａ．剥離（汚れ放出）剤
前処理系で使用される汚れ放出剤は、好ましくは高分子である。好ましい高分子汚れ放出剤は、多糖類である。多糖類は、好適な分子量（ＭＷ）を有することも可能である。ある実施形態では、多糖類が、約１，０００，０００未満、または約５００，０００未満、または約２５０，０００未満の分子量を有してもよい。
【００４０】
非限定的な一実施形態では、本明細書に記載の前処理組成物中で放出剤として使用可能な物質は、水溶性に変性されたセルロースであり、これには、カルボキシメチルセルロース、ヒドロキシプロピルセルロース、メチルセルロース、および類似化合物がこれらだけに限るものではないが、挙げられる。これらの化合物および他の好適な化合物については、非特許文献１およびその中の参照文献に記載されている。
【００４１】
これらの物質は、特定の理論に束縛されるものではないが、処理された靴がその後変性セルロースを加水分解或いは分解すると考えられている十分な量の酵素を含有する溶液中で洗浄される時には、本明細書に記載の目的に特に有効である。この目的に好適な酵素は、セルラーゼである。セルラーゼは、デンマークのノボザイム（Novozyme）から、商標名ケアザイム（CAREZYME）９００Ｔ、４５００Ｔ、１０００Ｌ、または４５００Ｌ、およびセルザイム（CELLUZYME）０．７Ｔ、およびデニマックス（DENIMAX）Ｌ、ＰＢ、Ｔ、およびデニマックス・ウルトラ（DENIMAX Ultra）ＢＴ、Ｌ、およびノボザイム（NOVOZYME）３４２の名前で入手することも可能である。特定の理論に束縛されるものではないが、ポリマーをキャンバス基質上に前処理すると、それが、汚れを除去するのが比較的より困難なキャンバスの繊維内および／または繊維間に汚れが浸透するのを防ぐ、保護障壁を形成すると考えられている。靴が汚れた後の洗浄溶液中の酵素の存在が、被膜を剥がすのに役立ち、布地から土埃を剥離するのを支援すると考えられている。
【００４２】
また、水溶性または水分散性ポリマーと適切な酵素との他の組み合わせを使用して、同様の利益が用意可能である。
【００４３】
例えば、非限定的な他の実施形態では、保護組成物が炭水化物バイオポリマーで、除去物質がカルボヒドラーゼである。炭水化物バイオポリマーとカルボヒドラーゼには、これらだけに限るものではないが：（１）セルロースおよび誘導体（例えば、ＣＭＣ、ＨＰＣ、ＨＥＣ、メチルセルロース）と、セルロース分解酵素（例えば、セルラーゼ、グルカノヒドロライズ（glucanohydrolyse）、セロビオハイドロラーゼ（cellobiohydraolases）、グルコシダーゼ）、およびこれらの混合物；（２）デンプンおよび誘導体（例えば、デンプンアミロース、デンプンアミロペクチン、デンプンデキストリン、デンプンエーテル、および変性デンプン）と、デンプン分解酵素（例えば、α−、β−、γ−アミラーゼ、グルカナーゼ、マルトヒドロラーゼ（maltohydrolases）、シクロデキストリン−グリコシルトランスフェラーゼ、プルラナーゼ、ネオプルラナーゼ、イソアミラーゼ、グルコシダーゼ、アミログルコシダーゼ、トランスグルコシダーゼ）、およびこれらの混合物；（３）ヘミセルロースおよび誘導体（例えば、キシログルカン、ガラクタン、アラビナン、グルカン、キシラン）と、ヘミセルラーゼ（例えば、キシログルカナーゼ、ガラクタナーゼ、アラビナーゼ、グルカナーゼ、キシラナーゼ）、およびこれらの混合物；（４）ペクチン（ＨＭおよびＬＭペクチン）および誘導体と、ペクチン酵素（例えば、ペクチンエステラーゼ、ペクチンリアーゼ、ガラクツロナーゼ、ガラクツロノシダーゼ（galacturonosidase）、ペクテート酸リアーゼ、ガラクツロネートリアーゼ（galacturonate lyase））、およびこれらの混合物；（５）天然ゴムおよび誘導体（例えば、グアー、イナゴマメ（Locus Bean）、タマリンド、および他のシードゴム、寒天、カラギーナン、アルギン、ジェラン、ファーセレラン、および他の海藻抽出物、アラビア、トラガカント、および他の植物滲出物、アラビノガラクタンおよび他の植物抽出物、キチン、キトサン、および他の動物／生物有機体からの抽出物）と、ガム分解酵素（例えば、マンナナーゼ、マンノシダーゼ、ラムノシダーゼ、ガラクタナーゼ、および他のヘミセルラーゼ、リゾチーム、トレハラーゼ、グルコシダーゼ、アミニダーゼ（aminidase）、キチナーゼ、スルファターゼ）、およびこれらの混合物；（６）生合成ガムおよび誘導体（例えば、キサンタン、デキストラン）と、特殊な糖分解酵素（例えば、キサンタン分解酵素、デキストラナーゼ、グルカナーゼ、フラクタナーゼ、異性化酵素、オジカーゼ（odicase）、グルコースデヒドロゲナーゼ）、およびこれらの混合物；（７）糖ポリマー（例えば、多糖類、糖タンパク質、プロテオグリカン、グリコサミノグリカン、糖脂質）、および糖ポリマー分解酵素（例えば、多糖類加水分解酵素およびリアーゼ、グリコシド加水分解酵素、結合加水分解酵素、官能基特異性酵素）およびこれらの混合物が挙げられる。
【００４４】
他の実施形態では、保護組成物がポリペプチドバイオポリマーを含むことができ、除去物質をプロテアーゼにすることが可能である。他の実施形態では、保護組成物はポリエステルポリマーで、除去物質が、リパーゼ、エステラーゼ、および／またはポリエステラーゼである。本明細書に列挙する物質の組み合わせに加えて、本明細書に記載する特徴を有する他の物質も使用してもよい。当然ながら、本明細書に記載の保護組成物および除去物質も、好適な組み合わせで使用することが可能である。
【００４５】
吹付け前処理で使用する場合、汚れ放出剤は、一般に、組成物の約０．０１重量％から、好ましくは約０．１重量％から、より好ましくは約０．２重量％から、約１０重量％まで、好ましくは約５重量％まで、より好ましくは約３重量％まで含まれる。組成物の残りは、界面活性剤、エタノール、防腐剤、および賦香剤をこれらだけに限るものではないが含む水および他の有益剤から成る。
【００４６】
しかしながら、機械洗浄過程のすすぎサイクル中に組成物を適用することにより靴を組成物で処理する時のような、ある種の実施形態においては、本発明の前処理組成物は、放出剤をより高濃度のレベルで、例えば、組成物の約５重量％〜約１００重量％、より好ましくは約１０重量％〜約９５重量％、更に好ましくは約２０重量％〜約９０重量％で含んでもよい。これにより、組成物がすすぎ過程中に水で希釈される時でも、許容可能な濃度の汚れ放出剤を用意する。
【００４７】
好適な汚れ放出高分子の他の非限定的な例が、次に開示されている：米国特許公報（特許文献２、特許文献３、特許文献４、特許文献５、特許文献６、特許文献７、特許文献８、特許文献９、特許文献１０、特許文献１１、特許文献１２、特許文献１３、特許文献１４、特許文献１５、特許文献１６、特許文献１７、および特許文献１８参照）；ならびに、欧州特許公報（特許文献１９参照）。更に好適な汚れ放出剤については次に記載されている：米国特許公報（特許文献２０、特許文献２１、特許文献２２、特許文献２３、特許文献２４、および特許文献２５参照）；欧州特許公報（特許文献２６、および特許文献２７参照）ならびに、ドイツ特許公報（特許文献２８参照）。
【００４８】
加えて、好適な汚れ放出剤およびその応用の更なる例が、次の参考文献に詳細に記載されている：
非特許文献２、並びにその中での参考文献。
【００４９】
非特許文献３、並びにその中での参考文献。
【００５０】
非特許文献４、並びにその中での参考文献。
【００５１】
非特許文献５、並びにその中での参考文献。
【００５２】
好適な放出剤の他の部類には、レシチンのようなリン脂質が含まれる。用語「レシチン」は、純粋なホスファチジルコリン、ならびにホスファチジルコリンと他のリン脂質、トリグリセリドなどとの混合物の両方を記述するのに使用することが可能である。ただし、レシチンの水分散液が、中性のｐＨ付近に維持するための緩衝液を有することが好ましい。これが、有効性の喪失を招き得るレシチンの加水分解の量および可能性を低減する。空気に曝露されるレシチンを含んでなる組成物は、好ましくはレシチンの潜在的な分解を減少させるために酸化防止剤を含有する。レシチンの水分散液には、抗微生物防腐剤が存在する必要がある。
【００５３】
また、汚れ放出剤は、本明細書に記載の種種の汚れ放出剤の組み合わせも含むことが可能である。種種の汚れ放出剤を合わせて混合し靴に適用し得、或いはそれらを連続的な工程で靴に適用することも可能である。汚れ放出剤は、種種の汚れ放出剤の混合物を含む代わりに、種種の分子量で用意される単一種類の汚れ放出剤を併せて混合して含むことも可能である。種種の汚れ放出剤のこのような組み合わせは、例えば、靴に単一または多数の保護層を用意するために、および他の目的にも有用であり得る。
【００５４】
ｂ．展着剤または界面活性剤
本発明の前処理組成物においては、広範囲の展着剤または界面活性剤を使用することが可能である。それらはいくつかの点で有用である。第一に、それらは、組成物が靴の表面上で、滴玉を形成して広がらなくなる傾向を低減する。第二に、その後の靴の清浄を助成することが可能である。第三に、それらは、靴における多数の表面に放出剤を適用する時に起こり得る、今迄に予期されなかった問題に有用である。予期せぬ問題とは、表面、例えば暗色または黒色の革靴の表面上にいくらかの放出剤が付着する時に、見苦しい斑痕が出現することである。従って、カルボキシメチルセルロースを含有するスプレーに界面活性剤を含めると、カルボキシメチルセルロースの利益を維持または増進しながら、皮革上の瘢痕が解消される。
【００５５】
本発明の前処理組成物中に含まれる界面活性剤は、使用される特定の界面活性剤とおよび達成すべき所望の効果とに応じて、前処理組成物の少なくとも約０．０１重量％、好ましくは少なくとも約０．１重量％、より好ましくは少なくとも約１重量％で、約８０重量％まで、より好ましくは約６０重量％まで、最も好ましくは約５０重量％まで含めることが可能である。界面活性剤をすすぎに導入することで、すすぎの際に過剰な発泡を引き起こさないように注意すべきである。これを実行する方法は、通常の当業者には周知である。
【００５６】
界面活性剤は、非イオン性、陰イオン性、両性、両染性、双極性イオン性、陽イオン性、半極性非イオン性、およびこれらの混合物であることができ、その非限定例が米国特許公報（特許文献２９および特許文献３０参照）に開示されている。陰イオン性、非イオン性、両性、および双極性イオン性ならびにこれら界面活性剤の種類の典型的な一覧が、１９７２年５月２３日ノリス（Norris）に発行された米国特許公報（特許文献３１参照）に挙げられている。好ましい前処理組成物は、非イオン性界面活性剤、および／または非イオン性界面活性剤と他の界面活性剤との混合物、とりわけ陰イオン性界面活性剤との混合物を含む。
【００５７】
本明細書で有用な界面活性剤の非限定例には、いわゆる狭ピークのアルキルエトキシレート、およびＣ６〜Ｃ１２アルキルフェノールアルコキシレート（とりわけ、エトキシレートおよびエトキシ／プロポキシの混合物）を含んでなる従来の、約１〜２２のエチレンオキシド（「ＥＯ」）を有するＣ８〜Ｃ１８アルキルエトキシレート（「ＡＥ」）、アルキルジアルキルアミンオキシド、アルカノイルグルコースアミド、Ｃ１１〜Ｃ１８アルキルベンゼンスルホネート、ならびに一級、二級、およびランダムアルキルサルフェート、Ｃ１０〜Ｃ１８アルキルアルコキシサルフェート、Ｃ１０〜Ｃ１８アルキルポリグリコシド、およびそれらの対応する硫酸化ポリグリコシド、Ｃ１２〜Ｃ１８α−硫酸化脂肪酸エステル、Ｃ１２〜Ｃ１８アルキルおよびアルキルフェノールアルコキシレート（とりわけ、エトキシレートおよびエトキシ／プロポキシの混合物）、Ｃ１２〜Ｃ１８ベタインおよびスルホベタイン（「「スルタイン」）、Ｃ１０〜Ｃ１８アミンオキシド、および類似のものが挙げられる。他の従来の有用な界面活性剤は、標準テキストに列記されている。非限定的な一実施形態では、カルボキシメチルセルロースと併せて使用するのに好適な界面活性剤は、シェル・ケミカル社（Shell Chemical Company）から入手可能なネオドール（NEODOL）２３−９のような、約１〜２２個のＥＯをもつ非イオン性Ｃ８〜Ｃ１８アルキルエトキシレート界面活性剤を含む。この実施形態の一変形形態では、このような界面活性剤を約０．１％〜約５％の濃度で用意することが可能である。
【００５８】
また、本明細書に記載の組成物は、有効量の１以上の他の有益剤を含んでもよく、これには、分散剤および／または再付着防止剤、賦香剤、香料、乾燥剤、消毒剤、抗微生物活性物質および／または防腐剤またはこれらの混合物、或いは他の有益剤または補助構成成分が、これらだけに限るものではないが挙げられる。他の種類の有益剤または補助構成成分には、酸化防止剤、キレート剤、例えば、アミノカルボキシレートキレート剤、重金属キレート剤、着色剤、光沢剤、泡抑制剤、染料移行抑制剤、酵素、酵素安定剤、有機溶媒、ｐＨおよび緩衝剤、被膜形成ポリマー、他の構成成分、およびこれらの混合物が、これらだけに限るものではないが挙げられる。このような補助剤の例が、米国特許公報（特許文献３２参照）に総括的に記載されている。
【００５９】
本明細書に記載の組成物は、追加的な有益剤（前処理がかなりの割合の水を含有する時に高速乾燥させる乾燥剤など）をその組成物中に含むことが可能で、或いはそのような追加的な有益剤を別個の組成物中で用意してもよい。非限定的な一例では、前処理組成物は、靴の内側、靴の外側、または両方に適用可能なスプレーの形態であり、急速乾燥する消毒を用意するためにエタノールを含む。このような実施形態では、エタノールが、他の有益剤の重量パーセントよりも多くの量で存在してもよい。例えば、エタノールは、そのような組成物中に約３０重量％以上の量で存在してもよく、或いは３０重量％より多くの５の倍数の任意のパーセンテージ、例えば５０重量％以上でもよい。
【００６０】
本発明の前処理組成物は、固体（粉末、顆粒、棒状物、錠剤）、ディンプル錠剤、流体、ペースト、ジェル、スプレー、エアゾール、スティック状、または泡の形態、およびこれらの混合物を、これらだけに限るものではないが包含する好適な形態を取ることが可能である。前処理組成物が流体および／またはジェルの時には、それらは「濃縮形態」を取ることができ、そのような場合、本発明による流体前処理組成物は、従来の流体洗剤に比べて水分含量が少ない。濃縮された流体前処理組成物の水分含量は、前処理組成物の約５０重量％以下でよい。
【００６１】
（靴の処理、清浄化、およびコンディショニング方法）
（前処理組成物を適用する好ましい方法）
前処理組成物は、任意の好適な方式で靴に適用することも可能である。前処理組成物は、洗浄過程および／またはすすぎ過程と組み併せて適用してよく、および／または洗浄手順とは別に適用してもよい。
【００６２】
非限定的な一実施形態では、本発明の前処理組成物は、流体前処理組成物を靴上にスプレーすることにより適用可能で、この場合、靴は通常の機械洗浄過程とは別に処理される。このような実施形態におけるスプレー前処理組成物は、通常、スプレーディスペンサー内に包装される。スプレーディスペンサーは、当該技術分野において既知の、液滴のスプレーを発生させる手動操作手段、例えば、引き金型、ポンプ型、非エアゾール自己加圧型、およびエアゾール型スプレー手段とすることが可能である。一般に、洗浄またはすすぎ過程において活性成分を希釈しないので、靴に高濃度の活性成分を送達する必要がある時にはスプレー方法が好ましい。この方法は、比較的高濃度の有益剤を靴に直接適用可能であるので、良好な性能を用意する。ただし、この手法にはこのような利点があるが、消費者が通常の洗濯過程外で靴を処理する必要があり、ゆえに洗浄過程の一部である方法ほど便利でないことがある。
【００６３】
他の非限定的な実施形態では、前処理組成物は、洗濯機における洗浄またはすすぎサイクルで（すなわちサイクル中に）靴に適用可能である。これは、その簡便さのために消費者に好まれる可能性がある。前処理組成物を洗浄またはすすぎサイクル中に適用する時には、靴上に何もスプレーする必要がなく、また靴を洗濯機内で洗浄する必要のあるものと別にして扱う必要がない。しかし、洗浄またはすすぎ用の水で前処理組成物が希釈されるので、洗浄またはすすぎ過程で比較的多量の前処理組成物を靴に適用するのは更に困難である。一般に、有益剤が洗浄時に送達されると、すすぎ時に有益剤がすすぎ落とされることがあるので、洗浄過程よりもすすぎ過程が好ましい。この実施形態では、前処理組成物は、濃縮された流体、固体、またはジェルの形態で、洗浄またはすすぎ用の水に添加することが可能である。前処理系が洗浄またはすすぎ時に送達される場合、いずれかのサイクルが終わる前に素早く溶解または分散するように配合することが好ましい。このような方式で組成物を配合する方法は、当業者には周知である。
【００６４】
他の実施形態では、様々な技術を用いて、ブラシまたは塗付ローラなどのこれだけに限らない使用により、前処理組成物を例えば、靴上に塗付またはローラ処理することにより適用可能である。このような技術は、手で、または機械により実施し得る。
【００６５】
（靴の清浄およびコンディショニング方法）
靴を前処理する方法は、単独で、或いは靴を手入れする全体的な過程の一部として使用可能である。前処理組成物は、好ましくは、靴を清浄およびコンディショニングする過程と併せて使用され、そのような過程の一部になる。
【００６６】
本発明の前処理組成物は、キャンバス／布地を含んでなる靴の清浄化および皮革を含んでなる靴の手入れの両方において最適結果が達成されるように、任意で、しかし好ましくは、ある種の清浄および／またはコンディショニング系と共に使用される。好ましくは、前処理組成物を適用した後で靴を着用し、靴を着用した（および汚した）後で清浄化および／またはコンディショニング組成物を使用する。これにより、これらの処理を単独により用意するに勝る、大きく向上した利益が用意可能である。本明細書に記載の前処理過程と組み合わせて靴を清浄および／またはコンディショニングする、好ましい組成物および系については、本明細書および２０００年１０月２０日出願の米国特許公報（特許文献３３参照）に更に詳細に記載されており、これを参照によりここに援用する。
【００６７】
また、清浄および／またはコンディショニング組成物は、本明細書に記載するように変性させて、本発明の前処理組成物と共に使用するに更に好適な新しい組成物を形成することも可能である。例えば、清浄組成物中の酵素（セルラーゼ）により加水分解可能であるＣＭＣのような前処理活性成分であり、その後、適切な酵素を含有する清浄組成物で靴を洗浄する。
【００６８】
（清浄および／またはコンディショニング組成物）
清浄および／またはコンディショニング組成物は、本明細書では総称的に「処理組成物」と呼ぶことがある。処理組成物が靴に直接または間接的に適用する時、処理組成物は、靴に１以上の所望の利益を付与する１以上の有益剤を含む。処理組成物は、水性媒質によるまたは水性媒質中で処理された靴の洗浄前および／または洗浄中および／または洗浄後に靴に適用することが可能である。処理組成物は、好ましくは、処理組成物を含有する水性媒質によりまたはそのような水性媒質中で靴を洗浄した結果起こる損傷が、処理組成物を含まない水性媒質によりまたはそのような水性媒質中での靴の洗浄に比べて軽減されるように配合される。
【００６９】
処理組成物は、ジェル、流体、固体、ペースト、泡、スプレー、エアゾール、棒状物、およびこれらの混合形態を包含する様々な形態をこれらだけに限るものではないが、取ることが可能である。処理組成物は、好ましくは、希釈していない（neat）処理組成物の１０％水溶液中で測定した時に、約２．５〜約１１、または約５〜約１０、または約６〜約９の範囲内のｐＨを有する。
【００７０】
処理組成物中の１以上の有益剤が、次を含んでなる群から、これらだけに限るものではないが選択されることが好ましい：清浄剤、コンディショニング剤、消毒剤、抗菌剤、抗微生物剤、防カビ剤、賦香剤、耐水処理剤、汚れ放出剤、光沢剤、アルカリｐＨ調整剤、香料、およびこれらの混合物。
【００７１】
処理組成物は、その中に清浄剤を含んでなる清浄組成物、および／またはその中にコンディショニング剤を含んでなるコンディショニング組成物の形態で用意することができ、或いは二者一体型（two-in-one）の清浄・コンディショニング組成物の形態で用意することが可能である。
【００７２】
好ましくは、処理組成物が清浄組成物を含んでなる場合、その中の清浄剤が、次の１以上の有益剤をこれだけに限るものではないが、含んでなる群から選択される：界面活性剤、カルシウム／マグネシウム除去剤、アルカリｐＨ調整剤、汚れ放出剤、酵素、およびこれらの混合物。
【００７３】
清浄組成物中で使用される界面活性剤は、次の１以上を含んでなる群から、これだけに限るものではないが選択してもよい：陰イオン性、非イオン性、陽イオン性、双極性イオン性、および両染性の界面活性剤、ならびにこれらの混合物。界面活性剤が非イオン性界面活性剤を含んでなる場合、１以上の界面活性剤の少なくとも一部は、平均エトキシル化度がアルコール１モル当りエチレンオキサイド約５〜約１５モルである、Ｃ８〜Ｃ１８アルキルエトキシレートを含んでなることが可能である。清浄組成物が、非イオン性界面活性剤を約１重量％〜約８０重量％含有してもよい。清浄化組成物は、好ましくは、希釈していない（neat）清浄化組成物の１０％水溶液中で測定した時に、約５〜約１１、より好ましくは約６〜約１０、最も好ましくは約７〜約１０の範囲内のｐＨを有する。清浄組成物は、「処理組成物」について前述に指定した、好適な形態を取ることが可能である。一実施形態では、清浄組成物は、ジェルの形態である。
【００７４】
清浄組成物において使用されるカルシウム／マグネシウム除去剤は、次を含んでなる群から、これらだけに限るものではないが選択してよい：ポリカルボキシレート、ポリアクリレート、ポリアクリル酸の塩、アクリレート／マレエートのコポリマー、アクリレート／マレイン酸のコポリマーの塩、サイトレート、エーテルポリカルボキシレート、オキシジサクシネート（oxydisuccinate）、ポリアスパルテート、ポリグリコレート、およびこれらの混合物。カルシウム／マグネシウム除去剤が、ポリアクリレート、ポリアクリル酸の塩、アクリレート／マレエートのコポリマー、アクリレート／マレイン酸のコポリマーの塩、およびこれらの混合物を含んでなる時には、これらのカルシウム／マグネシウム除去剤の平均分子量が、好ましくは約５００より大きく且つ約１００，０００未満である。
【００７５】
前述のように、処理組成物はまた、コンディショニング組成物も含むことが可能である。コンディショニング組成物は、次を含んでなる群から、これらだけに限るものではないが選択されるコンディショニング剤を含むことが可能である：アクリルシンタン（acrylic syntans）、および他の疎水変性ポリマー、シリコーン、フルオロカーボン、加脂剤、レシチン、フルオロポリマー、スクロースポリエステル、第四級アンモニウム塩、油、ワックス、およびこれらの混合物。コンディショニング剤がアクリルシンタン（acrylic syntans）を含んでなる場合、それらは好ましくは次式を有するアクリルシンタンから選択される：
【化１】
2004524405.tif 000002
式中、Ｒは独立してＣ８〜Ｃ２０アルキルであり、ＸおよびＹは独立の整数であり、Ｘ／Ｙの比は約０．０５〜約１００である。
【００７６】
コンディショニング剤はまた、親水性単位と疎水性単位の比が約０．０１〜約１００になるように、１以上の親水性単位と１以上の疎水性単位とを含んでもよい。
【００７７】
コンディショニング組成物は、好ましくは、希釈していない（neat）コンディショニング組成物の１０％水溶液中で測定した時に、約２．５〜約９、より好ましくは約３〜約８、最も好ましくは約３．５〜約７の範囲内のｐＨを有する。コンディショニング組成物は、前述に指定した好適な形態を取ることが可能である。一実施形態では、清浄組成物は流体の形態である。
【００７８】
前述のように、処理組成物は、１以上の消毒剤を含んでなることが可能である。好適な消毒剤には、第四級アンモニウム塩、飽和および不飽和Ｃ８〜Ｃ１１脂肪酸、フェノールおよびそれらの塩、ｏ−フェニルフェノールおよびその塩、ｔ−アミルフェノールおよびその塩、アルキルフェノールおよびそれらの塩、トリクロロカルバニリド、４−クロロ−３，５−ジメチルフェノールおよびその塩、クロルヘキシジン、リン脂質、チモール、オイゲノール、ゲラニオール、レモングラス油、リモネン、およびこれらの混合物がこれらだけに限るものではないが挙げられる。消毒剤が少なくとも部分的にＣ８〜Ｃ１０脂肪酸を含んでなる時には、ｐＨ約５．５未満で使用することが好ましい。また、消毒剤は、（１）塩化ベンザルコニウムおよび／または置換された塩化ベンザルコニウム；（２）ジアルキル四級化物；（３）Ｎ−（３−クロロアリル）ヘキサミニウム（hexaminium）クロライド；（４）塩化ベンゼトニウム；（５）塩化メチルベンゼトニウム；（６）塩化セチルピリジニウムをも含めることも可能である。他の好適な消毒剤には：クロルヘキシデン（chlorhexidene）およびその塩、またはポリヘキサメチレンビグアナイド塩酸塩およびその塩が挙げられる。更に他の好適な消毒剤には、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、４−［Ｎ−（ノナノイル）アミノヘキサノイルオキシ］−ベンゼンスルホン酸ナトリウム塩（ＮＡＣＡ−ＯＢＳ）、ドデカノイルオキシベンゼンスルホネート（ＬＯＢＳまたはＣ１２−ＯＢＳ）、１０−ウンデセノイルオキシベンゼンスルホネート（１０位に不飽和をもつＵＤＯＢＳまたはＣ１１−ＯＢＳ、）、およびデカノイルオキシ安息香酸（ＤＯＢＡ）が挙げられ、本発明における過酸素（peroxygen）漂白剤化合物（ＡｖＯとして）と漂白剤活性化剤とのモル比が少なくとも約１：１になるように、漂白剤活性化剤に過酸素源を添加する。更に他の消毒剤には、過酸前駆体（preformed peracid）が含まれ、これには、フタルイミド−ペルオキシ−カプロン酸、ペルオキシコハク酸またはペルオキシアジ酸（peroxyadic acid）のノニルアミド（nonylamide）、Ｎ，Ｎ’−テレフタロイル−ｄｅ（６−アミノペルオキシカプロン酸）、Ｎ−ラウロイル−６−アミノペルオキシカプロン酸、Ｎ−デカノイル−アミノペルオキシカプロン酸、Ｎ−ノナノイル−６−アミノペルオキシカプロン酸、および６−デシルアミノ−６−オキソペルオキシカプロン酸が挙げられる。
【００７９】
前述のように、靴を処理するための組成物は、第一の付着保護物質（「前処理組成物」など）を含むことが可能で、これは第二の除去物質と併せて使用される。特定の理論に束縛されるものではないが、第一の付着保護物質が靴の少なくとも一部分上に保護付着または障壁を形成し、第二の除去物質が、第一の物質および第一の保護物質上に付着した汚れの少なくとも一部を靴から除去可能であると考えられている。
【００８０】
好適な除去物質としては、酵素がこれだけに限るものではないが挙げられる。使用可能である酵素の例は、セルラーゼおよびプロテアーゼである。酵素は、次の形態を含んでなる好適な方式で、これらだけに限るものではないが組成物に添加することが可能である：凍結乾燥、顆粒化、流体（例えば、発酵ブロス（fermentation broth）、溶解された細胞、上清）、および更にカプセル封入化または不動化形態。酵素は、精製酵素、結晶化、野生型、または更に微生物中に存在するものであり得る。酵素は、酵素安定剤および可逆阻害物質を含んでなる組成物の形態で添加可能である。酵素は、いずれかの好適な濃度で用意し得る。例えば、ある非限定的な実施形態では、酵素は製品中に約０．００１％（または０．０１％、または０．０５％）〜約２０％の濃度で存在可能である。酵素は、洗浄溶液中に約０．０１ｐｐｍ〜約１００ｐｐｍの種種の量で用意可能である。好ましくは、機械洗浄／すすぎ過程中に適用する組成物中で使用する時には、酵素を約３０ｐｐｍ未満（例えば１ｐｐｍ）の濃度で用意する。
【００８１】
保護組成物と除去物質との組み合わせには、他の多数の例が考えられる。ある非限定的な一連の実施形態では、保護組成物が炭水化物バイオポリマーで、除去物質がカルボヒドラーゼである。他の一連の実施形態では、保護組成物がポリペプチドバイオポリマーで、除去物質がプロテアーゼである。他の一連の実施形態では、保護組成物がポリエステルポリマーで、除去物質が、リパーゼ／エステラーゼ／ポリエステラーゼである。また、本明細書で使用する組成物は、例えば、種種の保護物質の多数の層を除去するために、本明細書で指定するもののような種々の除去物質の混合物を含むことも可能である。
【００８２】
清浄および／またはコンディショニング組成物、或いはその両方は、除去物質、例えば、酵素、カルボヒドラーゼ、プロテアーゼ、またはリパーゼ／エステラーゼ／ポリエステラーゼを含有してもよい。靴の着用前に前処理組成物を使用し、その後除去物質を含有する清浄および／またはコンディショニング組成物で処理すると、好ましくは、前処理工程なしの清浄および／またはコンディショニング単独の場合よりも大きな利益が生み出される。
【００８３】
本明細書に記載の組成物は、その中に追加的な有益剤を有することができ、或いはそのような追加的な有益剤を別個の組成物中で用意してもよい。追加的な有益剤には、（例えば、抗微生物剤、賦香剤、展着剤、アルカリｐＨ調整剤、消泡剤、光沢剤、香料、および乾燥剤が、これらだけに限るものではないが挙げられる。有益剤は、処理組成物をいつどのように使用するかにより少なくともある程度までは異なる。例えば、靴の洗浄後に、処理組成物を靴に適用することが可能である。洗浄後処理組成物には、汚れ放出剤、耐水処理剤、およびこれらの混合物のような有益剤を挙げることが可能である。通常、耐水処理剤は、靴の洗浄前には適用しない。さもなければ洗浄過程を妨害することがある。
【００８４】
処理組成物が光沢剤を含んでなる時には、目に見える光沢剤の染みを付けずに溶液の約１％以上が減少することからわかるように、光沢剤を靴の皮革および／またはミッドソール上に付着させてもよい。好適な光沢剤には、クマリン誘導体光沢剤、オキサゾール光沢剤、およびベンゾキサゾリル光沢剤から成る群から、これらだけに限るものではないが選択される光沢剤が挙げられる。
【００８５】
処理組成物は、香料を含むことが可能で、処理した靴に清々しい印象を与える「香りのシグナル」を心地よい匂いの形態で用意可能である。香りのシグナルは、製品中および靴上に、一時的な香料の香り或いはより強い芳香を与えるように設計可能である。香料が、香料組成物の少なくとも約２５重量％の実質的香料成分を含むことが望ましいことがある。実質的香料成分は、その沸点（Ｂ．Ｐ．）およびＣｌｏｇＰ値により特徴付けられる。香料組成物が、Ｂ．Ｐ．が約２５０℃以上、ＣｌｏｇＰが約３．０以上の実質香料成分で構成される時には、それらは非常に効果的に靴上に付着し、本明細書に記載の靴を処理する工程を実施した後で靴上に実質的に残る。
【００８６】
清浄組成物および／またはコンディショニング組成物は、個別に、または併せて使用可能である。併せて使用する場合、それらは清浄およびコンディショニング系の形態を取ることが可能である。清浄およびコンディショニング組成物は、物理的および／または化学的に分離させることができ、或いは１つに組み合わせることが可能である。非限定的な一実施形態では、清浄およびコンディショニング組成物を別個の組成物にすることができ、この場合、清浄組成物を靴の外側表面に適用し、コンディショニング組成物を靴の内側表面に適用する。他の実施形態では、清浄およびコンディショニング組成物を組み合わせて、単一の「二者一体型（two-in-one）」清浄・コンディショニング組成物にすることが可能である。
【００８７】
清浄およびコンディショニング組成物が分離している時には、清浄組成物は、コンディショニング組成物のｐＨよりも大きいｐＨを有することが可能である。例えば、清浄組成物は、希釈していない（neat）清浄組成物の１０％水溶液中で測定した時に、約５〜約１１の範囲内にあるｐＨを有することができ、コンディショニング組成物は、希釈していない（neat）コンディショニング組成物の１０％水溶液中で測定した時に、約２．５〜約９の範囲内にあるｐＨを有することが可能である。
【００８８】
本明細書に記載の組成物は、配合者により選択される方法よりも好適に調製することができ、その非限定例が、米国特許公報（特許文献３４参照）、１９９７年１１月１１日発行のナッサノ（Nassano）らによる米国特許公報（特許文献３５参照）、１９９６年１１月１２日発行のウェルチ（Welch）らによる米国特許公報（特許文献３６参照）、１９９６年１０月２９日発行のディニウェル（Dinniwell）らによる米国特許公報（特許文献３７参照）、１９９６年１０月１５日発行のデル・グレコ（Del Greco）らによる米国特許公報（特許文献３８参照）、１９９６年５月１４日発行のカペシ（Capeci）らによる米国特許公報（特許文献３９参照）、１９９６年２月６日発行のカペシ（Capeci）らによる米国特許公報（特許文献４０参照）、１９９６年１月２３日発行のカペシ（Capeci）らによる米国特許公報（特許文献４１参照）に記載されており、これらすべてを参照により本明細書に組み入れる。
【００８９】
（靴の処理方法における組成物の使用）
一般に、靴を処理する方法は、靴を直接または間接的に１以上の処理組成物に接触させることを含み、各処理組成物は、処理組成物を靴に直接または間接的に適用する時に靴に１以上の所望の利益を付与する１以上の有益剤を含む。処理組成物は、好ましくは、１以上の内側表面に、１以上の靴の１以上の外側表面に、或いはその両方に適用する。望むなら、有益剤は、１以上の靴に付与される１以上の所望の利益（例えばコンディショニング）が１以上の靴の洗浄に耐えるように選択してもよい。
【００９０】
処理組成物は、処理された靴の水性媒質によるまたは水性媒質中での洗浄前および／若しくは洗浄中および／または洗浄後に適用することが可能である。靴は、好適な方式で水性媒質によりまたは水性媒質中で洗浄することができ、これには例えば、洗い桶或いはシンクなどの他の容器内に靴を部分的または完全に水没させること、庭用ホースまたは蛇口などから靴に水をスプレーして雨滴を靴に接触させること、川、湖、または池のような水域に靴を部分的または完全に水没させること、および従来の洗濯機内に入っている水性洗浄溶液中に靴を水没させることが挙げられる。
【００９１】
非限定的な一実施形態では、この方法は、従来の家庭用洗濯機において、キャンバスおよび／または皮革を含んでなる運動靴を、清浄、消臭、およびコンディショニングする。洗浄系は、水性媒質中で靴を洗浄した結果として起こる革靴の表面上の影響を和らげる流体コンディショナーと、靴の外側を清浄するための清浄ジェルとを含む。処理組成物は、望むなら、靴の外側表面、靴の内側表面、および／またはその両方に、好ましくはアプリケータを用いて直接適用してもよい。靴の表面上に処理組成物を擦り付けると、靴の表面の処理を促進することがある。
【００９２】
この実施形態では、清浄ジェルは、清浄ジェル瓶の上部にあるブラシアプリケータから、直接靴の外側に適用する。流体コンディショナーは、靴の開口部（着用者の足が入る部分）を通って靴の内部に注入され、靴を前後に揺り動かしてコンディショナーを分配する。
【００９３】
洗濯機における靴への損傷を防ぐために、洗濯機内に載置するための可撓性容器内に靴を置くことが好ましい。好適な可撓性容器は、任意の数の構成でも用意可能であるが、処理すべき１以上の靴を入れるのに十分な容積を有する、可撓性ポーチまたは「袋」の形態が都合がよい。可撓性容器は、任意の都合のよいサイズにすることもでき、例えば手による攪拌および／または従来の全自動洗濯機内の機械攪拌機による攪拌中に、容器およびその中に入っている靴を動かせる十分な大きさにすべきであるが、機械攪拌機の作動を妨害するほど大きくないようにすべきである。好適な容器は、ポリエステルおよびポリプロピレンなどのような経済的な材料から製造してもよいが、手または機械攪拌機のいずれかによる攪拌中に決して破けないことを条件とする。
【００９４】
図１〜図３は、靴を入れるための靴袋３２０の非限定的な一実施形態を示す。この実施形態では、靴袋３２０は好ましくは概ね平行六面体形状である。靴袋３２０は、その最大寸法が靴袋３２０の長手軸８０に沿って延びる縦方向側壁３３６Ａおよび３３６Ｂと、靴袋３２０の長手軸８０を横断して配置される横方向側壁３３６Ｃおよび３３６Ｄとを含む。側壁は、好ましくは縫製またはシーム４８により底壁３３８と結合し、底壁３３８の反対側に開口部を有する区画３３２を形成しており、使用時には開口部を通じて靴を入れることが可能である。開口部は、各側壁の上縁部３４０により画定される。
【００９５】
この実施形態では、縦方向側壁３３６Ａおよび３３６Ｂは、第一の孔またはメッシュ材料の第一のパネル３８２から形成され、横方向側壁３３６Ｃおよび３３６Ｄならびに底壁３３８は、第一のメッシュ材料とは異なる第二の孔またはメッシュ材料の単一パネルから形成される。より好ましくは、縦方向側壁３３６Ａおよび３３６Ｂが更に第一のパネル３８２に隣接して配置される第二のパネル３８５を含み、これもまた横方向側壁３３６Ｃおよび３３６Ｄと同一の第二のメッシュ材料から形成される。従って、第一のパネル３８２が、縦方向側壁の内側表面（すなわち区画３３２に隣接する表面）を形成し、第二のパネル３８５が、縦方向側壁の外側表面を形成する。明瞭にするために、本明細書では、第二のパネル３８５を、横方向側壁３３６Ｃおよび３３６Ｄも形成する同一の材料（すなわち第二のメッシュ材料）から形成されるものとして記載するが、第二のパネル３８５を第一のメッシュ材料または何らかの他の織布または不織布のような他の材料から形成可能であることを企図する。更に、望むなら、縦方向側壁３３６Ａおよび３３６Ｂに２枚より多くのパネルが用意可能で、或いは、横方向側壁３３６Ｃおよび３３６Ｄおよび／または底壁３３８を複数のパネルから形成する一方、縦方向側壁３３６Ａおよび３３６Ｂが単一パネルからも形成可能である。
【００９６】
更に、本明細書では側壁の各パネルを単一の均一なまたは均質な布地を含むと記載しているが、１以上のパネルを複数の布地から形成してもよいことを企図する。例えば、第一のパネル３８２を第一のメッシュ材料と第二のメッシュ材料の両方から形成してよく、或いは第一のパネル３８２を第一のメッシュ材料と別の材料とから形成してもよい。複数パネルの側壁の場合、パネル間に隙間をあけてパネルを離して配置して、パネルが互いに対して相対的に動くように、パネルをその周辺部の周りで（例えば、シームまたは縫製部４８において）互いに取り付けることが好ましい。
【００９７】
好ましくは、縦方向側壁の第一のパネル３８２の第一のメッシュ材料が複数の孔３５４を有し、この孔のサイズが、横方向側壁３３６Ｃおよび３３６Ｄならびに底壁３３８の第二のメッシュ材料の孔３８６よりも小さい。第一のおよび第二のメッシュ材料の両方の孔は、本明細書では簡略化のために概ね円形の孔を示し論じているが、望むようなランダムまたは繰返しパターンのいずれかで、および様々な形状で用意することが可能である。靴を十分に濡らして清浄するために、使用時に孔３５４および３８６の両方が側壁または底壁を通じて洗浄用の水を流すことが可能であるが、横方向側壁および底壁の第二のメッシュ材料のより大きい孔３８６を通じて、汚染物質（例えば、土埃および草）を区画３３２から流し出すことが好ましい。更に、縦方向側壁の第一のパネル３８２の第一のメッシュ材料の編み糸は、機械洗浄過程時の、磨耗、毛羽立ち、ならびに、靴の側面、シーム、靴紐などの望ましくない他の損傷を最小限に抑えるように選択される。より小さいサイズの孔と、第一の材料の滑らかで磨耗のない手触りとが、望ましくない靴の損傷をそのように最小限に抑えるのに寄与すると考えられている。
【００９８】
図４を参照すると、第一のメッシュ材料が、好ましくは孔３５４を有する布地の形態で用意されており、孔の平均開口面積は、約５ｍｍ２未満、より好ましくは約０．５ｍｍ２〜約５ｍｍ２、最も好ましくは約０．６ｍｍ２〜約２ｍｍ２である。孔の密度は、好ましくはパネル表面積１ｍｍ２当りに孔が少なくとも約０．０５個で、より好ましくはパネル表面積１ｍｍ２当りに孔が約０．１〜約０．４個である。一般に、縦方向側壁の第一のパネルは、それぞれ、靴袋の全体的な寸法に応じて、約１０ｃｍ２〜約８００ｃｍ２の総開口面積を有する。好ましくは、縦方向側壁の第一のパネルがそれぞれ、約５０ｃｍ２〜約４００ｃｍ２、より好ましくは約７５ｃｍ２〜約１５０ｃｍ２の総開口面積を有する。従って、縦方向側壁３３６Ａおよび３３６Ｂの第一のパネルそれぞれの総表面積のパーセント対する縦方向側壁３３６Ａおよび３３６Ｂの第一のパネルそれぞれの総開口面積の比（すなわち、（総開口面積）／（総表面積））は、好ましくは約５％〜約５０％、より好ましくは約１０％〜約２５％、最も好ましくは約１５％である。
【００９９】
第一のメッシュ材料が織布の場合、第一のメッシュ材料を形成するのに使用する編み糸は、マイクロデニールのフィラメントまたはマイクロデニールでないフィラメントのいずれかを含むことが可能である。マイクロデニールのフィラメントの場合、第一の編み糸は、好ましくは２プライ・７０デニールの編み糸で、１プライ当り約１００のマイクロデニールフィラメントを有し（すなわち、２／７０／１００糸）、フィラメントがポリエステルから形成され、一方、第二の編み糸は、好ましくは単一プライ・４０デニールの編み糸で、１プライ当り約２０のフィラメントを有し（すなわち、１／４０／２０糸）、フィラメントがポリエステルから形成される。同様の構造を有する他のマイクロデニール糸で代用可能である。マイクロデニールの第一のメッシュ材料は、丸編み（circular knit）（すなわち、管状の形態に製造された横編み布地）、或いは当該技術分野で既知の他の織り方法およびパターンを用いて、編み糸から形成可能である。マイクロデニールでないフィラメントの場合、第一のメッシュ材料の第一の編み糸は、好ましくは単一プライ・１５０デニールの編み糸で、１プライ当り約６８のマイクロデニールでないフィラメントを有し（すなわち、１／１５０／６８糸）、フィラメントがポリエステル、或いは洗浄サイクル中に染料を実質的に吸収しない他の材料から形成され、一方、第二の編み糸は前述のものと同一である。同様の構造を有する他のマイクロデニールでない編み糸で代用可能である。第一のメッシュ材料の重量は、ＡＳＴＭ３７７６−９６で、少なくとも約６０グラム／ｍ２、好ましくは約６０グラム／ｍ２〜約２１０グラム／ｍ２、より好ましくは約１００グラム／ｍ２〜約１５０グラム／ｍ２である。
【０１００】
図５を参照すると、横方向側壁３３６Ｃおよび３３６Ｄ、底壁３３８、ならびに、縦方向側壁３３６Ａおよび３３６Ｂの第二のパネル３８５を形成するのに使用される第二のメッシュ材料が、好ましくは、平均開口面積が約５ｍｍ２〜約７５ｍｍ２、より好ましくは約５ｍｍ２〜１５ｍｍ２の孔３８６を有する布地の形態で用意されている。孔の密度は、好ましくは壁の表面積１ｍｍ２当りに孔が少なくとも約０．０１個で、より好ましくは壁の表面積約０．０２ｍｍ２〜約０．０４ｍｍ２当りに孔が少なくとも約０．０１個である。一般に、横方向側壁と底壁とを組み合わせると、総開口面積は、靴袋３２０の区画３３２から汚染物質を十分に流し出すように、靴袋の全体的な寸法に応じて約１０ｃｍ２〜約８００ｃｍ２である。好ましくは、横方向側壁と底壁とを組み合わせると、総開口面積は約１００ｃｍ２〜約４００ｃｍ２、より好ましくは約２２５ｃｍ２〜約２７５ｃｍ２である。従って、横方向側壁３３６Ｃおよび３３６Ｄのパネルそれぞれの総開口面積に対する、横方向側壁３３６Ｃおよび３３６Ｄのパネルそれぞれの総表面積のパーセント比は、約２０％〜約７０％、より好ましくは約３０％〜約４０％、最も好ましくは約３５％である。
【０１０１】
第二のメッシュ材料が織布の場合、第二のメッシュ材料を形成するのに使用する編み糸は、マイクロデニールのフィラメントまたはマイクロデニールでないフィラメントのいずれかを含むことが可能である。第二メッシュ材料を形成するのに使用される第一のおよび／または第二の編み糸は、好ましくは単一プライ・１５０デニール編み糸で、１プライ当り約３４のフィラメントを有し（すなわち、１／１５０／３４糸）、フィラメントは、ポリエステル、或いは洗浄サイクル中に染料を実質的に吸収しない他の材料から形成される。第二のメッシュ材料は、当該技術分野で既知の織り方法（例えば、編み）またはパターンを用いて、編み糸から形成可能である。第二のメッシュ材料の重量は、ＡＳＴＭ３７７６−９６で、少なくとも約１００グラム／ｍ２、好ましくは約１００グラム／ｍ２〜約３５０グラム／ｍ２、より好ましくは約１２５グラム／ｍ２〜約２００グラム／ｍ２である。
【０１０２】
他の実施形態では、靴を収納袋または他の種類の容器内に載置してもよく、これは、洗浄過程後に靴の乾燥に要する時間を短縮するように設計されている。例えば、米国型の洗濯機の場合、収納袋は、靴底を上に向け、靴のつま先を洗濯機の回転サイクル中に攪拌機が回転するのと同一の方向に向けて、靴をポケットの内側で保持するように構成可能である。
【０１０３】
収納袋または他の可撓性容器が処理過程中に閉じられたままになるように、十分に安定した密封手段を用意することが好ましい。単純な結束ストリングまたはワイヤ、様々なスナップ密閉具、例えばジップロック（ZIP LOCK）（登録商標）密閉具、ベルクロ（VELCRO）（登録商標）型の密閉具、コンタクト型接着剤、接着テープ、およびファスナー型密閉具などで十分である。図面に示す実施形態では、使用時の開口部は、コード５０およびスライドロック５２により閉じる。
【０１０４】
靴は、同一の収納袋内または別個の収納袋内のいずれかに載置してよく、１または複数の袋が洗浄溶液中に置かれる。次に、中に靴が入っている収納袋を洗濯機内に載置する。洗濯機を作動させ、靴を洗浄する。
【０１０５】
好ましくは、洗浄溶液の温度およびｐＨは、皮革を含んでなる靴の表面への損傷を最小限に抑えるように制御される。洗浄溶液は、ｐＨが約４〜約１０、または約５〜約１０、或いは約６〜約９で、温度が約４０°Ｆ（５℃）〜約１８０°Ｆ（８０℃）、または約５０°Ｆ（１０℃）〜約１５０°Ｆ（６６℃）、或いは約６０°Ｆ（１５℃）〜約１００°Ｆ（４０℃）になるように制御可能である。ｐＨを推奨使用レベルに制御する技術には、緩衝液、アルカリ、酸などの使用が挙げられ、当業者には周知である。特定の理論に束縛されるものではないが、高い温度およびｐＨは洗浄性能を高めると考えられているが、それらの同じ高い温度およびｐＨは靴に過度の損傷を招くことがある。高温では、皮革からクロムが大量に析出可能になり、および／または、洗浄溶液の温度上昇に伴い、靴への損傷が増大する。
【０１０６】
洗浄過程後、洗濯機から靴を取り出して乾燥させる。靴は、風乾、衣類乾燥機内での乾燥、或いはヘアドライヤーまたは靴ドライヤーのような器具による乾燥のような好適な方法で乾燥可能である。
【０１０７】
（製造物品／説明書）
本発明はまた、前記前処理組成物による靴の処理を容易にすることが可能である製品を生成するためにディスペンサー（例えば、スプレーディスペンサーまたは他の種類のディスペンサー）に組み込まれた有益剤を含有する前処理組成物にも関する。スプレーディスペンサーは、手動操作型および非手動の動力型（運転型）のスプレー手段と、前処理組成物が入っている容器とを含むことが可能である。洗浄での方法（洗浄時添加および／またはすすぎ時添加）では、製造物品は単純に、有益剤を含有する前処理組成物と好適な容器とを含み得る。
【０１０８】
製造物品は、好ましくは、所望の利益を用意するために、消費者が確実に適正な量の有益剤を適用するように使用説明書と共に用意する。例えば、使用説明書は、これらだけに限るものではないが、次についての説明が包含可能である：靴を着用／汚す前の、靴への前処理組成物の適用；前処理組成物の適用方式；本明細書に記載の利益を用意するのに十分な量であるが、前処理組成物を乾燥させた後の靴上に目に見えるほど多くはない量での前処理組成物の適用；前処理組成物の適用に洗浄過程を使用する場合での洗浄過程で靴に前処理組成物を適用する方式；洗浄水の温度；洗浄時間；洗濯機の推奨設定；前処理組成物適用後の靴の乾燥；靴を着用した後の靴の洗浄についての説明、これには、靴上の、先に適用した前処理組成物および汚れを除去するための物質を内部に含む本明細書に記載の清浄化および／またはコンディショニング組成物の１つの適用を含めてもよい；靴を洗浄し乾燥させた後の前処理組成物の再適用；ならびに、柔らかさ、柔軟性、脱臭、消毒、または他の所望の特性を用意するための他の説明。好ましくは、住居用および／または一般消費者向けの機器における典型的な米国洗浄条件下では、洗濯機に推奨される設定は、中間量（medium load）・強力（heavy duty）・１２〜１４分・温水洗浄で、冷水すすぎサイクルが好ましい。
【０１０９】
説明書を、可能な限り簡単且つ明瞭にすることが重要である。それ故に、説明書の解釈を支援するために、写真および／またはアイコンを使用することが望ましい。説明書は、前処理組成物が入っている包装と共に、或いは前処理組成物の販売または使用に関連する他の形態の広告と共に用意可能である。説明書には、組成物を保持する容器に貼付されるラベル上の説明；容器に貼付されるかまたは購入時に渡されるシート上の説明；或いは、前処理組成物の購入につながる可能性のある、広告、実演、ビデオテープ、ＣＤ−ＲＯＭ、および／または他の文書または口頭の説明の用意を含むことが可能である。
【０１１０】
（靴処理キット）
本発明の製造物品は、外包装内の１以上の他の製造物品と併せて包装して、靴処理キットを形成してもよい。
【０１１１】
靴処理キットには、前処理組成物を含んでなるディスペンサーなど、例えばスプレーディスペンサー；清浄および／またはコンディショニング組成物が入っている容器；これらの組成物のためのアプリケータ；靴用の可撓性容器（袋など）；靴乾燥装置；およびこれらの使用に関する説明書、を包含するが、これらだけに限るものではない本明細書に記載の物品を含むことも可能である。
【０１１２】
好ましくは、本発明によるキットの形態中の靴処理組成物が、次の構成要素を含む：
ａ）１以上の靴に１以上の所望の利益を用意するために、消費者に少なくとも有効量の１以上の有益剤を適用することを指示する使用説明書と共に、１以上の有益剤を包装内に含む、１以上の靴を前処理するための前処理組成物を含んでなる製造物品；
ｂ）１以上の靴を保持するのに好適な可撓性容器、好ましくは再利用可能な可撓性容器；および
ｃ）構成要素ａ）およびｂ）を含んでなる外装。
【０１１３】
更に、有益剤を染み込ませた布および／またはアプリケータのような物品を、キットの一部にすることも可能である。そのような物品は、１以上の靴に１以上の所望の利益を付与する後処理に特に有用である。靴の洗浄後、靴を物品で擦るか、或いは靴を物品に接触させることが可能である。洗浄後の拭取り布または物品を使用して、靴上に様々な有益剤を付着する。それには、汚れ放出剤、耐水処理剤、皮革または布地またはプラスチック処理剤、抗微生物剤、輝き向上成分、塗装することの多い運動靴の皮革外側の外観を改善するように設計した成分が、これらだけに限るものではないが挙げられる。また、この洗浄後処理も使用可能で、新しいおよび／またはきれいな靴に使用することが好ましい。
【０１１４】
次の実施例は、本発明の組成物を例示するためのものであり、必ずしも本発明の範囲を制限または定義するものではない。また、本明細書および以下の表で指定する量およびパーセンテージは、必要ならば四捨五入可能で、および／または、指定する量およびパーセンテージを含んでなる範囲の形態で用意可能であることも理解すべきである。更に、これらの量およびパーセンテージも、「およその」指定した量、または「およその」四捨五入した量およびパーセンテージと見做すことも可能である。
【０１１５】
（配合および方法の実施例）
本発明による処理組成物（靴を後に洗浄しやすくするのに好適なもの）として特に有用な、好適な処理組成物および方法は、次の通りである。
【０１１６】
第一の実施例では、靴を着用する前に、きれいな靴上にスプレー可能である前処理組成物を用意する。次に、靴の着用後に洗浄可能である。
【０１１７】
（実施例１）−吹き付け
【表１】
2004524405.tif 000003
１好適な高分子放出剤は、ハーキュレス（Hercules）から入手可能なカルボキシメチルセルロース、７ＬＦ型である。
２好適な界面活性剤は、シェル・ケミカルズ社（Shell Chemicals）から入手可能なネオドール（Neodol）２３−９である。
３好適な柔軟化剤は、米国オハイオ州シンシナティのプロクター・アンド・ギャンブル社（Procter & Gamble Company）から販売されているダウニー（DOWNY）（登録商標）・エイプリル・フレッシュ標準濃度柔軟仕上げ剤（April Fresh Regular concentration fabric softener）であり、米国特許公報（特許文献４２および４３参照）の一方または両方に記載されている。
【０１１８】
（実施例２）−すすぎを経る
この実施例では、着用前処理組成物を靴上にスプレーするのでなく、靴の洗浄時に処理組成物を靴に適用する。非限定的な一実施形態では、靴を洗濯機で洗浄する時に、すすぎサイクル中に処理組成物を適用する。
【０１１９】
処理組成物は、洗浄過程中に好適な濃度で添加可能である。非限定的な一実施形態では、カルボキシメチルセルロースの形態の処理組成物を、すすぎサイクル中にすすぎ用の水に約２，０００〜２，５００ｐｐｍの濃度で用意する。洗浄過程においてその処理機能を果たすために、処理組成物を靴上に直接スプレーする第一の実施例の場合よりも活性の高いカルボキシメチルセルロースのサンプルを使用する。この実施例の非限定的な一変形形態では、ペン・カルボ−ス社（Penn Carbose,Inc.）からのカルボキシメチルセルロースの３０％活性サンプルが使用可能である。カルボキシメチルセルロースは好適な方式ですすぎサイクルに添加可能である。好ましい一実施形態では、カルボキシメチルセルロースを、米国オハイオ州シンシナティのプロクター・アンド・ギャンブル社（Procter & Gamble Company）から販売されているダウニー（DOWNY）（登録商標）柔軟仕上げ剤投与ボール中に入れる。
【０１２０】
その後、靴を着用する。靴を処理する必要がある時には、靴を洗濯機などで洗浄する。酵素を内部に有する前述の組成物は、洗浄過程中に、好ましくは洗浄サイクルで水に添加可能である。すすぎサイクル中に、再度カルボキシメチルセルロースが添加可能で、本明細書に記載のサイクルを繰り返し得る。
【０１２１】
（実施例３）
内部に増白剤を含む、本発明で有用な清浄剤を含有する処理組成物は次のように配合可能である：
【表２】
2004524405.tif 000004
（１）ＢＡＳＦから商標名ソカラン（SOKALAN）ＣＰ−５（４０％活性）として市販
（２）シェル・ケミカル社（Shell Chemical Co.）から商標名ネオドール（Neodol）２３−９として市販
（３）トリヒドロキシステアリン
（４）プロテアーゼは、通常、３４ｍｇ／ｍＬの活性プロテアーゼを含有する混合物である。
（５）好適な蛍光増白剤は、３Ｖ社（3V,Inc.）から商標名オプティブラン（Optiblanc）ＬＳＮとして市販されている。
【０１２２】
（実施例４）
本発明で有用な、コンディショニング剤を含有する処理組成物は、次のように配合される：
【表３】
2004524405.tif 000005
１好適なコンディショニング剤は、ローム・アンド・ハース社（Rohm and Haas Company）から商標名ルブリタン（LUBRITAN）ＡＳとして市販されている。
２好適なコンディショニング剤は、ゼネラル・エレクトリック社（General Electric Company）から商標名ＧＥシリコン（GE Silicone）ＣＭ２２３３として市販されている。
３好適な消毒剤は、米国テキサス州ダラスのセラニーズ・ケミカルズ社（Celanese Chemicals）、または米国ミズーリ州セントルイスのシグマ・アルドリッチ社（Sigma-Aldrich Corporation）から市販されている、Ｃ９の脂肪酸である。
４好適な非イオン性界面活性剤は、シェル・ケミカル社（Shell Chemical Company）から商標名ネオドール（NEODOL）２３−６．５として市販されている。
５好適な賦香剤は、β−シクロデキストリンである。
このようなコンディショニング組成物のｐＨは、約４．５である。
【０１２３】
本記述全体にわたって言及した、すべての特許、特許出願（およびそれに基づいて発行された特許、並びに関連して発行された外国特許出願）、並びに刊行物の開示内容を、参照として本明細書に組み入れる。ただし、本明細書に参照により組み込まれた文献も、本発明を教示または開示していることを認めるものではないことを明言する。
【０１２４】
本発明の特定の実施形態について記載したが、本発明の精神および範囲から逸脱することなく、本発明の様々な変更および修正を実施可能であることは当業者には明らかである。本発明の範囲から逸脱することなく様々な変更および修正を実施でき、本発明が本明細書に記載の実施形態および実施例に制限されるものではないことが、当業者には明らかである。
【０１２５】
［関連技術文献］
特許文献１：日本国特許ＪＰ５８−０６７，７７７号明細書
特許文献２：米国特許第５，７２８，６７１号明細書
特許文献３：米国特許第５，６９１，２９８号明細書
特許文献４：米国特許第５，５９９，７８２号明細書
特許文献５：米国特許第５，４１５，８０７号明細書
特許文献６：米国特許第５，１８２，０４３号明細書
特許文献７：米国特許第４，９５６，４４７号明細書
特許文献８：米国特許第４，９７６，８７９号明細書
特許文献９：米国特許第４，９６８，４５１号明細書
特許文献１０：米国特許第４，９２５，５７７号明細書
特許文献１１：米国特許第４，８６１，５１２号明細書
特許文献１２：米国特許第４，８７７，８９６号明細書
特許文献１３：米国特許第４，７７１，７３０号明細書
特許文献１４：米国特許第４，７１１，７３０号明細書
特許文献１５：米国特許第４，７２１，５８０号明細書
特許文献１６：米国特許第４，０００，０９３号明細書
特許文献１７：米国特許第３，９５９，２３０号明細書
特許文献１８：米国特許第３，８９３，９２９号明細書
特許文献１９：欧州特許第ＥＰ−Ａ０２１９０４８号明細書
特許文献２０：米国特許第４，２０１，８２４号明細書
特許文献２１：米国特許第４，２４０，９１８号明細書
特許文献２２：米国特許第４，５２５，５２４号明細書
特許文献２３：米国特許第４，５７９，６８１号明細書
特許文献２４：米国特許第４，２２０，９１８号明細書
特許文献２５：米国特許第４，７８７，９８９号明細書
特許文献２６：欧州特許ＥＰ２７９，１３４Ａ号明細書
特許文献２７：欧州特許第ＥＰ４５７，２０５Ａ号明細書
特許文献２８：ドイツ国特許第ＤＥ２，３３５，０４４号明細書
特許文献２９：米国特許第５，７０７，９５０号明細書
特許文献３０：米国特許第５，５７６，２８２号明細書
特許文献３１：米国特許第３，６６４，９６１号明細書
特許文献３２：米国特許第５，５７６，２８２号明細書
特許文献３３：米国特許出願公開第０９／６９３，２２４号明細書
特許文献３４：米国特許第５，５７６，２８２号明細書
特許文献３５：米国特許第５，６９１，２９７号明細書
特許文献３６：米国特許第５，５７４，００５号明細書
特許文献３７：米国特許第５，５６９，６４５号明細書
特許文献３８：米国特許第５，５６５，４２２号明細書
特許文献３９：米国特許第５，５１６，４４８号明細書
特許文献４０：米国特許第５，４８９，３９２号明細書
特許文献４１：米国特許第５，４８６，３０３号明細書
特許文献４２：米国特許第４，４２４，１３４号明細書
特許文献４３：米国特許第４，７６７，５４７号明細書
非特許文献１：カーク・オスマー（Kirk Othmer）、工業化学百科事典（Encyclopedia of Chemical Technology）、第４版、第５巻、５４１〜５６３ページ、表題「セルロースエーテル（Cellulose Ethers）」
非特許文献２：１９９８年、マーセル・デッカー（Marcel Dekker）（ニューヨーク）から出版のマイケルＳ．ショーエル（Michael S.Showell）編「粉末洗剤（Powdered Detergents）」、第７章、ユージーン・Ｐ・ゴセリンク（Eugene P.Gosselink）、題名「粉末洗剤における汚れ放出剤（Soil Release Agents in Powdered Detergents）」
非特許文献３：カーク・オスマー（Kirk Othmer）工業化学百科事典（Encyclopedia of Chemical Technology）、第４版、第２１巻、放出剤（Release Agents）の章、２０７ページから
非特許文献４：カーク・オスマー（Kirk Othmer）工業化学百科事典（Encyclopedia of Chemical Technology）、第４版、第２５巻、耐水処理および撥水性／撥油性（waterproofing and water／oil repellency）の章、５９５ページから
非特許文献５：１９８５年ニューヨークのワイリー（Wiley）から出版のポリマー科学工学百科事典（Encyclopedia of Polymer Science and Engineering）、マーク（Mark）Ｈ．Ｆ．；クロシュヴィッツ（Kroschwitz）・ジャクリーン１世（Jacqueline I.）、第２版
【図面の簡単な説明】
【０１２６】
【図１】本発明の方法の際に、靴を洗浄する時に使用可能である靴袋の非限定的な一実施形態の斜視図であり、縦方向側壁が２つのパネルを含み、横方向側壁が単一パネルを含み、縦方向側壁の一方の一部分を取り除いて他のパネルを露出させている。
【図２】図１の靴袋の線２−２に沿った側断面図である。
【図３】図１の靴袋の線３−３に沿った側断面図である。
【図４】本発明で使用するのに好適な第一のメッシュ材料の４０倍の顕微鏡写真であり、図１の靴袋の第一のまたは内側パネルはこの材料から形成する。
【図５】本発明で使用するのに好適な第二のメッシュ材料の１６倍の顕微鏡写真であり、図１の靴袋の第二のまたは外側パネルはこの材料から形成する。
【国際公開パンフレット】
2004524405.tif 000006
2004524405.tif 000007
2004524405.tif 000008
2004524405.tif 000009
2004524405.tif 000010
2004524405.tif 000011
2004524405.tif 000012
2004524405.tif 000013
2004524405.tif 000014
2004524405.tif 000015
2004524405.tif 000016
2004524405.tif 000017
2004524405.tif 000018
2004524405.tif 000019
2004524405.tif 000020
2004524405.tif 000021
2004524405.tif 000022
2004524405.tif 000023
2004524405.tif 000024
2004524405.tif 000025
2004524405.tif 000026
2004524405.tif 000027
2004524405.tif 000028
2004524405.tif 000029
2004524405.tif 000030
2004524405.tif 000031
2004524405.tif 000032
2004524405.tif 000033
2004524405.tif 000034
2004524405.tif 000035
2004524405.tif 000036
2004524405.tif 000037
2004524405.tif 000038
2004524405.tif 000039
2004524405.tif 000040
2004524405.tif 000041
2004524405.tif 000042
2004524405.tif 000043
2004524405.tif 000044
2004524405.tif 000045
2004524405.tif 000046
2004524405.tif 000047
【国際公開パンフレット（コレクトバージョン）】
2004524405.tif 000048
【国際公開パンフレット（コレクトバージョン）】
2004524405.tif 000049
【国際調査報告】
2004524405.tif 000050
2004524405.tif 000051
2004524405.tif 000052
2004524405.tif 000053
2004524405.tif 000054
2004524405.tif 000055
2004524405.tif 000056
2004524405.tif 000057